(57)【要約】  本発明は、ハンカチーフ又は化粧用ティッシュなどの吸収性ティッシュシート用の柔軟なポケットパッケージに関する。一般的にそのようなパッケージは、１枚より多いティッシュシートを含む。そのようなパッケージから１枚のシートを引き出すために、取り出しを可能にする、パッケージ材料における削除部分などの開口部をパッケージに提供する必要がある。本発明によれば、開口部は少なくとも２つのデカルト座標において非対称であり、好ましくは、帆のデザインに類似している。
2005512898.tif 000002
【特許請求の範囲】
【請求項１】
平行六面体の形状の吸収性ティッシュシート（３０）用の柔軟なパッケージ（１０）であって、前記角形平行六面体が、デカルト座標系においてｘ座標における最長伸長Ｘと、ｚ座標における最短伸長Ｚと、ｙ座標における伸長Ｙとを有し、前記Ｙ伸長が前記Ｘ伸長より短いと共に前記Ｚ伸長より長く、前記パッケージ（１０）が、ｘ座標及びｙ座標において伸長する開口部を有し、前記パッケージ（１０）が、ｘ座標に沿う縁部（１４）及びｙ座標に沿う縁部（１５）を有し、前記パッケージ（１０）が、前記開口部がｘ座標及びｙ座標に関して非対称であると共に前記開口部が前記パッケージ（１０）の少なくとも１つの縁部（１４、１５）を具備する、ことを特徴とするパッケージ。
【請求項２】
前記開口部が、前記ｚ座標においても伸長すると共に、前記開口部がｚ座標においても非対称である、請求項１に記載のパッケージ（１０）。
【請求項３】
前記開口部が、パッケージ（１０）材料における指定された分離線（２０）、好ましくは破断可能な切り目（２０）、によって提供され、前記分離線（２０）が開始点（１）及び終止点（２）を有し、これらの点（１、２）が間隔を置いて配置されていると共に、前記点（１，２）の間にヒンジ線を形成し、前記ヒンジ線に沿って前記パッケージ（１０）からフラップ（２２）を折り返すことによって、非対称開口部と同等の広がりを持つパッケージ材料がフラップ（２２）として使用されるのを可能にして、前記ティッシュシート（３０）の取出しを提供する、請求項１又は２のいずれか１項に記載のパッケージ（１０）。
【請求項４】
前記フラップ（２２）が、閉鎖手段（２４）、好ましくは接着性テープ状タブ（２４）、を備えている、請求項３に記載のパッケージ（１０）。
【発明の詳細な説明】
【技術分野】
【０００１】
本発明は、ハンカチーフ又は化粧用ティッシュなどの吸収性ティッシュシート用の柔軟なポケットパッケージに関する。こうしたハンカチーフは、特にヨーロッパで広く使用され、鼻からの排泄物を吸収するための、又は化粧品の拭き取り用に使用される布シートに一般的に取って代わった。一般的にそのようなパッケージは、１枚より多いティッシュシートを含む。１枚のシートをそのようなパッケージから引き抜くために、パッケージ自体に開口部を提供すると共に、取り出しを可能にするが、パッケージ及び残りのティッシュシートを衛生的な手法で保管するための再閉鎖能力も提供する削除部分をパッケージ材料に一般的に提供することが必要である。本発明によれば、開口部は、少なくとも２つのデカルト座標において非対称であり、好ましくは、帆のデザインに類似している。
【背景技術】
【０００２】
吸収性ティッシュシート用パッケージは広く使用されており、多くの出版物が、そのようなパッケージを表示又は言及している。例えば、ＥＰ４０１６２１は、パッケージの２つの側面まで伸長する開口部を有する平行六面体のパッケージを示している。開口部は、２つの終止点を有する線に沿ってパッケージ材料を切断することによって形成されるフラップクロージャ（閉鎖）を備え、パッケージ材料における２つの終止点間にフラップヒンジをつくって、パッケージに再閉鎖能力も提供する。再閉鎖は、閉鎖手段、この場合は接着性テープ状タブの提供によって更に改善される。同じ技術分野における他のパッケージが、例えば、ＤＥ２９４９４９６の線状の外形線を有するパッケージ、ＤＥ３９１１７７９の角形タイプの開口部を有するパッケージ、ＤＥ３９１５１９２の非線状外形線を有する開口部を有するパッケージ、又はＤＥ３９２００６５の開口部がパッケージに提供される途中における様々な幾何学的形状の組み合わせに示されている。パッケージの１側面のみを含むもう１つのパッケージデザインが、例えば、ドイツ実用新案Ｇ９０１０６７０．９又はドイツ実用新案ＤＥ９３２１４２９に見出すことができる。
【０００３】
これら全ての開示において、パッケージに提供された開口部が示され、対称形であることを意図している。これは、開口部の中心部を掴んで、非対称の広がりなしに引き出すことによって、そのようなパッケージのユーザに個々の物品を引き出させる効果を有する。吸収性ティッシュシートのパッケージに開口部を設計する時、１枚を引き出した後の残りのシートが便利に取り出せることと、それらのシートを衛生的に保管することとの要求の間で最適な方法をとらなければならない。パッケージの側面内深くに達するより長い開口部は、取り出すのに都合がよい。衛生状態は、開口部をより小さくすることにより改善される。この点、特に使い捨てティッシュハンカチーフにおける改善は、消費者が十分注意して取り扱わない物品にとって重要なステップになると共に、物品を引き出すときの便利さの観点と、物品が残っているパッケージをたとえばポケットや女性のハンドバックに保存する時の衛生的な観点の両方を満たさなければならない。
【発明の開示】
【発明が解決しようとする課題】
【０００４】
故に、取り出しやすさにおける改善を提供する一方で、同時にパッケージ内の残りのティッシュシートの衛生的な保管を改善することが本発明の目的である。
【課題を解決するための手段】
【０００５】
従って、本発明は、表面が最小化される一方、先行技術、又はそのようなティッシュシート用の現存するパッケージによって提供される開口部において一般的に可能であるよりも良好な、物品の引き出し及び取り出しを提供するように、パッケージ開口部が選択された吸収性ティッシュシート用パッケージに関する。従って、本発明は、ティッシュシート用平行六面体のパッケージの最大側面の表面上に非対称開口部を提供し、その開口部は、パッケージの各側面の縁部も含む。これが、２つのデカルト座標において非対称を有する開口部を有するパッケージをつくる。より好ましくは、本発明による開口部は、平行六面体のパッケージの２表面を横切って伸長すると共に、３つのデカルト座標方向全てにおいて非対称を有する。好ましい実施形態では、本発明は、一般的に一部を切りとって開口部を形成する材料を利用すると共に、２つの終止点を有する切り目を有するパッケージ材料において、その切り目を通過する開口部をつくることによってそのような材料から閉鎖フラップを提供して、２つの終止点の間にヒンジ線をつくり、その線に沿ってパッケージ材料は、折り畳まれることができる。それによって、パッケージにおける開口部と同等の広がりを持つフラップを提供する。更に好ましい型では、そのようなフラップは、例えば、接着性テープ状タブによって提供され得る閉鎖手段を備えている。
【発明を実施するための最良の形態】
【０００６】
本発明は、当該技術分野において周知の使い捨てペーパーハンカチーフのシートなど、柔軟な吸収性ティッシュシートのパッケージに関する。そのようなパッケージは一般的に、可塑性フィルム材料又はペーパーシートから作成され、例えば、ズボンのポケット又は財布又はハンドバッグに入れて持ち運ぶのに便利な寸法で提供される。
【０００７】
そのような製品のための材料の選択の詳細は、上記で引用した多数の出版物の全てから、特にＥＰ−Ａ７４３２６４に見られる開示から抜粋できる。
【０００８】
パッケージは、半加工品、例えば塑性体、例えばそのようなパッケージの製造中にティッシュシートの周囲で折り畳まれるポリエチレンフィルム材料から作成される。フィルム材料の半加工品は、パッケージの周囲で折り畳むのに適切な寸法に切断され、また折り畳む方法は、上述の開示文献にも見られる。フィルム材料に開口部の切り込みが入れられ、開口部と同等の広がりを持つ材料によってフラップが提供されることが意図される場合は、開口部はパッケージを最初に開ける時にパッケージ材料内の指定された分離線が破られるような手法で切断される。これは、例えば、穿孔状や微小穿孔状など、切断の２側面を橋渡しする小さい要素などによる破断可能な切り目、又はレーザー若しくは打抜きによって提供される可能性のある素材の厚さの一部分内にのみ伸長する切り目、又は脆弱分離線をつくる通常の方法のいずれかによって達成され得る。開口部の作成に関する限り、最新技術に従って形成される開口部は、本発明で使用されるものと特に差異があるわけではない。
【０００９】
本発明は、これまで当業者によって開示又は考察されなかった開口部の形状を選択することにある。パッケージに形成される開口部は、少なくとも２つのデカルト座標において、好ましくは３つのデカルト座標全てにおいて非対称である。その結果、非対称である平行六面体のパッケージの１側面上に開口部を生じる。次に、好ましい実施形態は、より詳細に説明される添付図面を参照し詳しく説明される。特定の好ましい実施形態は、三角形の開口部であり、より好ましくは三角形の一つ以上の辺が湾曲して三角形が曲線状周辺部を有する三角形の開口部であり、最も好ましくは尖った角のない三角形の開口部である。図に示されるように、その結果、「帆」の形の開口部となる。
【００１０】
図１は、パッケージ（１０）がｘ−ｙ−ｚデカルト座標系と共に示されている、本発明による好ましい実施形態である。パッケージの最大伸長Ｘは、ｘ座標方向にあり、パッケージの最小伸長Ｚは、ｚ座標方向にあって、ｙ座標の伸長Ｙは、Ｘ伸長より短くＺ伸長よりも長い。参照番号１で開始する切断線（２０）が示され、参照番号２で末端部に達する。それに沿って切り目が形成される線は、ｘ座標及びｙ座標に関して、また図１の場合はｚ座標に関しても非対称である。しかし、本発明によれば、ｚ方向における非対称は必須ではなく、切断線（２０）の終止点（２）はまた、パッケージの表面（１２）と表面（１６）との間に形成された縁部（１４）上の点で終了して、開口部の周辺部の一部分として開口部において縁部（１４）を含み得る。
【００１１】
本発明によれば、縁部（１４）又は縁部（１５）などの縁部が、パッケージ（１０）の２表面間に形成される一方、パッケージの３表面（１２、１６、１８）が接する角が形成される。図１で示される好ましい実施形態において、切断線（２０）が角（１４）から表面（１２）内に、更に再度、角（１４）を横切って表面（１６）内に伸長してフラップ（２２）が形成され、フラップ（２２）は、切り目（２０）の開始点（１）と終止点（２）との間に形成された線に沿って折り畳まれることができる。次に、開放した状態の図２で示される開口部は、パッケージの内側のティッシュシート（３０）を直接取り出せることを可能にする。
【００１２】
パッケージの内側のティッシュシート（３０）をより取り出しやすくしながら、そしてパッケージの内側に残る物品の衛生的で持続的な保管を効果的なものにしようとする要求を満たしながら、非対称開口部がパッケージの縁部（１５）を含んで提供されることも、もちろん可能である。しかし、本発明による平行六面体のパッケージの最長縁部であるｘ座標において伸長する縁部の１つを含んで伸長する開口部を成す図に示される実施形態ほどには好ましくはない。
【００１３】
本発明に従って選択された非対称形の驚くべき効果は、審美的に心地よい湾曲を提供する可能性に加えて、縁部（１４）に沿う相対的に長い開口部の伸長が、図２に示されるような物品（３０）への容易な取り出しやすさを可能にする一方、同時に対称的な開口部に対して開口部の寸法を低減して、吸収性ティッシュシートへの同レベルの取り出しやすさを提供するという事実である。
【００１４】
図面に示される好ましい開口部は、開口部が直線状の線により形成されるか又は曲線状の線により形成されるかによって、三角形又は準三角形を有する。示された曲線状の線では、三角形は、パッケージの側面（１２）内に達して、三角形の１つの角は、ｙ座標の次元の中間点まで、すなわちｙ座標でのパッケージの伸長の半分までほぼ伸長する。勿論、開口部が縁部（１５）を含む場合、これはｘ座標である。所望の結果を達成するために、一般に開口部は、パッケージの側面（１２）内の、パッケージのＹ伸長の５０％と２０％との間のどこか、好ましくは４５％と３０％との間に達するべきである。開口部がパッケージの側面（１６）内に達する伸長は、切り目（２０）の終止点（２）の位置によって決まる。これは好ましくは、パッケージのＺ伸長の２０％と５０％との間の伸長も有するべきである。パッケージの縁部（１４）に沿う開口部の伸長は、パッケージのＸ伸長の９５％と４０％との間であるべきである。好ましくは、開口部のこの伸長は、パッケージのＸ伸長の６０％と９０％との間であり、最も好ましくは、示されるように、パッケージのＸ伸長の約６０％〜７０％である。
【００１５】
開口部が、好ましい実施形態で示されるような閉鎖フラップ（２２）を備えている場合、特に切り目の終止点（２）は、パッケージのユーザがそうすることを意図することなくパッケージ材料を引き裂くことによって、伸長し得ることが判明した。これは、パッケージに審美的及び衛生的な問題を引き起こすことがある。従って、図１及び図２における終止点（２）で示されるような引き裂き停止円を切り目（２０）の終止点（１及び２）に提供することが望ましい。勿論、同じ物が切断線（２２）の終止点（１）に提供され得るが、これは好ましくは、パッケージの縁部（１４）上で終了するので、そこには提供されなくてもよい。
【００１６】
同様に、パッケージ材料における切り目（２０）によってフラップ（２２）がつくられる場合、そのようなフラップは、好ましくは再閉鎖機構を備え得る。テープ状タブタイプの再閉鎖手段の好ましい２つの実施形態が、図１及び図３の図面に示されている。テープ（２４）は、１側面上に接着性手段を備えるが、接着性手段はテープ（２４）の全表面にわたって伸長せずに、テープ状タブ（２４）の開放で接着剤のない領域を有して、テープ状タブの容易な把持を円滑にする。図３に示される好ましい実施形態では、テープは、フラップ（２２）の切り目（２０）の長い方の長さに沿って伸長し、さらなる衛生的効果を提供する。経済的な観点から、これは、テープ状タブ（２４）の全表面積を維持することによって追加の経費なしに達成することができ、その結果、図１又は図３に示される実施形態のどちらかでは、同一面積が接着剤で取り付けられる。フラップ（２２）の切り目を横切るテープの伸長部分がより長いほうが、汚染されにくい傾向があることが判明した。それは、図２に示される開放状態において、接着表面の末端がより離れるため、露出した閉鎖テープ（２４）の接着剤の一方の末端の汚染が他方の末端に広がる可能性が低減するためである。
【００１７】
最後に、フラップが所望される場合、好ましくは上記のように提供され得るが、フラップを提供するために別の材料片をパッケージに取り付け得ることに注意されたい。そのように取り付けられたフラップは、開口部よりも長くなるように選択され得る長所を有し、故に開口部の改善された閉鎖を提供する。これは、余分な材料でフラップの切断された縁部を伸長することによって、好ましい実施形態で示されるような切り抜かれたフラップにおいても達成され得る。どちらかのデザインでは、閉鎖手段は、フラップの材料の上に提供されることができ、開口部を越えて伸長する。
【００１８】
本発明の特定の実施形態について説明したが、本発明を逸脱しない限り、様々な変更及び修正を行ってもよいことは当業者には明白である。従って、添付の特許請求の範囲は、本発明の範囲内にある全ての変形と変更を含むことを意図する。
【図面の簡単な説明】
【００１９】
【図１】本発明による好ましい実施形態の斜視図である。
【図２】図１のパッケージの開放された状態を示している。
【図３】図１に示されるパッケージのもう１つの実施形態の平面図である。
【図１】
2005512898.tif 000003
【図２】
2005512898.tif 000004
【図３】
2005512898.tif 000005
【国際調査報告】
2005512898.tif 000006
2005512898.tif 000007
2005512898.tif 000008